(57)【特許請求の範囲】
【請求項１】
被写体を撮像する撮像手段と、
予め決められた選択肢の中から、撮影される被写体を選択する被写体選択手段と、
予め決められた選択肢の中から、光源による被写体の状況を選択する光源状況選択手段と、
予め決められた選択肢の中から、画像処理の結果である仕上がりの雰囲気を選択する仕上がり選択手段と、
前記被写体選択手段、前記光源状況選択手段、及び前記仕上がり選択手段の選択結果によって撮影条件を設定する第１の設定手段と、
前記第１の設定手段によって設定された撮影条件に従って、前記撮像手段を制御する撮像制御手段と、
前記被写体選択手段、前記光源状況選択手段、及び前記仕上がり選択手段の選択結果によって、前記撮像手段によって撮像された画像データに施すホワイトバランス処理を含む画像処理に用いる画像処理パラメータを設定する第２の設定手段と、
前記第２の設定手段によって設定された画像処理パラメータを用いて前記撮像手段によって撮像された画像データに画像処理を施す画像処理手段と、を有し、
前記第１及び第２の設定手段は、前記被写体選択手段、前記光源状況選択手段、及び前記仕上がり選択手段の選択結果のうち、少なくとも１つの選択結果によって、残りの選択結果に応じて設定する設定の内容を基準として設定を変えることを特徴とする撮像装置。
【請求項２】
前記被写体選択手段、前記光源状況選択手段、及び前記仕上がり選択手段の各選択項目について、前記３つの選択手段のうち１つの選択手段の選択結果に応じて、残り２つの選択手段のうち少なくとも１つの選択手段の選択項目を変更する変更手段を有することを特徴とする請求項１に記載の撮像装置。
【請求項３】
被写体を撮像する撮像手段と、前記撮像手段を制御する撮像制御手段と、前記撮像手段によって撮像された画像データに画像処理を施す画像処理手段と、を有する撮像装置の制御方法であって、
予め決められた選択肢の中から、撮影される被写体を選択する被写体選択ステップと、
予め決められた選択肢の中から、光源による被写体の状況を選択する光源状況選択ステップと、
予め決められた選択肢の中から、画像処理の結果である仕上がりの雰囲気を選択する仕上がり選択ステップと、
前記被写体選択ステップ、前記光源状況選択ステップ、及び前記仕上がり選択ステップの選択結果によって撮影条件を設定する第１の設定ステップと、
前記撮像制御手段が、前記第１の設定ステップで設定された撮影条件に従って、前記撮像手段を制御する撮像制御ステップと、
前記被写体選択ステップ、前記光源状況選択ステップ、及び前記仕上がり選択ステップの選択結果によって、前記撮像手段によって撮像された画像データに施すホワイトバランス処理を含む画像処理に用いる画像処理パラメータを設定する第２の設定ステップと、
前記第２の設定ステップで設定された画像処理パラメータを用いて前記撮像手段によって撮像された画像データに画像処理を施す画像処理ステップと、を有し、
前記第１及び第２の設定ステップでは、前記被写体選択ステップ、前記光源状況選択ステップ、及び前記仕上がり選択ステップでの選択結果のうち、少なくとも１つの選択結果によって、残りの選択結果に応じて設定する設定の内容を基準として設定を変えることを特徴とする撮像装置の制御方法。
【請求項４】
被写体を撮像する撮像手段と、
予め決められた選択肢の中から撮影される被写体を選択する被写体選択手段と、
予め決められた選択肢の中から画像処理の結果である仕上がりの雰囲気を選択する仕上がり選択手段と、
前記撮像手段に用いる撮影条件を設定する第１の設定手段と、
前記撮像手段によって撮像された画像データに施す画像処理に用いる画像処理パラメータを設定する第２の設定手段と、を備え、
前記第１、第２の設定手段の少なくとも一方は、前記被写体選択手段の選択結果によって設定された設定の内容を基準として、前記仕上がり選択手段の選択結果に応じて設定を変えることを特徴とする撮像装置。
【請求項５】
予め決められた選択肢の中から光源による被写体の状況を選択する光源状況選択手段と、
前記撮像手段によって撮像された画像データに施すホワイトバランス処理に用いるホワイトバランス制御値を設定するホワイトバランス制御値設定部と、を備え、
前記ホワイトバランス制御値設定部は、前記被写体選択手段の選択結果によって設定されたホワイトバランス制御値を基準として、前記仕上がり選択手段の選択結果に応じてホワイトバランス制御値を変えることを特徴とする請求項４に記載の撮像装置。
【発明の詳細な説明】
【技術分野】
【０００１】
本発明は、使用者の意図する写真の仕上がりを自動で設定する撮像装置及び撮像装置の制御方法に関する。
【背景技術】
【０００２】
従来デジタルカメラでは、使用者の意図する写真の仕上がりを自動的に制御するものとして、主に撮影光学系の露出制御を担うシーンモードと、現像時の画像処理パラメータを制御する仕上がり設定がある。
【０００３】
露出制御を担うシーンモードは、近年ではほとんどのデジタルカメラなどで搭載されている。例えば「風景モード」を選択すれば、風景を撮影するのに適した、撮影レンズの絞りを大きく絞り込んで、被写界深度を深く設定する露出制御を行なう。また、「人物モード」を選択すれば、人物を撮影するのに適した、撮影レンズの絞りを小さくなるようにして、被写界深度を浅く設定する露出制御を行なう。
【０００４】
一方、下記に提示する特許文献では、撮影した画像を現像するときの画像処理パラメータを制御する仕上がり設定に関して次のように開示されている。デジタルカメラに写真の仕上がりを複数の種類を仕上がり設定（プリセットパラメータ）として準備し、使用者が設定した仕上がり設定によって、現像時のコントラスト（ガンマ設定）処理、色処理などを制御するパラメータが変更される。こうすることで、使用者が望む写真の仕上がりに近づける処理が為される。また、これらの画像処理パラメータをさらに詳細に使用者が設定できる仕組み（ユーザーセットパラメータ）も開示されている。
【先行技術文献】
【特許文献】
【０００５】
【特許文献１】特開２００８−０１１４１３号公報
【発明の概要】
【発明が解決しようとする課題】
【０００６】
しかしながら、上述の開示された従来技術では、写真の表現に造詣が深くても、写真の表現を画象処理パラメータの設定に導くには、写真撮影技術以外にもデジタル画像処理の知識が深くないと対応が困難である。
【０００７】
そこで、本発明の目的は、使用者がイメージした仕上がりの写真表現を、デジタル画像処理に熟知していなくても、表現の幅を広げてイメージした画質を容易に仕上げる撮影設定を可能にした撮像装置を提供することである。
【課題を解決するための手段】
【０００８】
上記目的を達成するために、請求項１にかかる本発明における撮像装置は、被写体を撮像する撮像手段と、予め決められた選択肢の中から、撮影される被写体を選択する被写体選択手段と、予め決められた選択肢の中から、光源による被写体の状況を選択する光源状況選択手段と、予め決められた選択肢の中から、画像処理の結果である仕上がりの雰囲気を選択する仕上がり選択手段と、前記被写体選択手段、前記光源状況選択手段、及び前記仕上がり選択手段の選択結果によって撮影条件を設定する第１の設定手段と、前記第１の設定手段によって設定された撮影条件に従って、前記撮像手段を制御する撮像制御手段と、前記被写体選択手段、前記光源状況選択手段、及び前記仕上がり選択手段の選択結果によって前記撮像手段によって撮像された画像データに施すホワイトバランス処理を含む画像処理に用いる画像処理パラメータを設定する第２の設定手段と、前記第２の設定手段によって設定された画像処理パラメータを用いて前記撮像手段によって撮像された画像データに画像処理を施す画像処理手段と、を有し、前記第１及び第２の設定手段は、前記被写体選択手段、前記光源状況選択手段、及び前記仕上がり選択手段の選択結果のうち、少なくとも１つの選択結果によって、残りの選択結果に応じて設定する設定の内容を基準として設定を変えることを特徴とする。
【０００９】
また、請求項３にかかる本発明における撮像装置の制御方法は、被写体を撮像する撮像手段と、前記撮像手段を制御する撮像制御手段と、前記撮像手段によって撮像された画像データに画像処理を施す画像処理手段と、を有する撮像装置の制御方法であって、予め決められた選択肢の中から、撮影される被写体を選択する被写体選択ステップと、予め決められた選択肢の中から、光源による被写体の状況を選択する光源状況選択ステップと、予め決められた選択肢の中から、画像処理の結果である仕上がりの雰囲気を選択する仕上がり選択ステップと、前記被写体選択ステップ、前記光源状況選択ステップ、及び前記仕上がり選択ステップの選択結果によって撮影条件を設定する第１の設定ステップと、前記撮像制御手段が、前記第１の設定ステップで設定された撮影条件に従って、前記撮像手段を制御する撮像制御ステップと、前記被写体選択ステップ、前記光源状況選択ステップ、及び前記仕上がり選択ステップの選択結果によって前記撮像手段によって撮像された画像データに施すホワイトバランス処理を含む画像処理に用いる画像処理パラメータを設定する第２の設定ステップと、前記第２の設定ステップで設定された画像処理パラメータを用いて前記撮像手段によって撮像された画像データに画像処理を施す画像処理ステップと、を有し、前記第１及び第２の設定ステップでは、前記被写体選択ステップ、前記光源状況選択ステップ、及び前記仕上がり選択ステップでの選択結果のうち、少なくとも１つの選択結果によって、残りの選択結果に応じて設定する設定の内容を基準として設定を変えることを特徴とする。
【発明の効果】
【００１０】
本発明によれば、使用者がイメージした仕上がりの写真表現を、デジタル画像処理に熟知していなくても、表現の幅を広げてイメージした写真画質を容易に仕上げることを可能にする。
【図面の簡単な説明】
【００１１】
【図１】第１の実施形態におけるデジタルカメラの構成を示す図である。
【図２】第２の実施形態におけるデジタルカメラの構成を示す図である。
【図３】第１の実施形態における撮影パラメータ設定処理のフローチャートである。
【図４】第２の実施形態におけるフローチャートである。
【図５】画像処理パラメータ設定部で設定可能なコントラストの特性を示す図である。
【図６】画像処理パラメータ設定部で設定可能なシャープネスの特性を示す図である。
【図７】画像処理パラメータ設定部で設定可能な色相・彩度の特性を示す図である。
【図８】撮影被写体選択手段の各設定項目と画像処理パラメータの関連付けを説明する図である。
【図９】第１の実施形態における撮影被写体選択、被写体光源状況選択の各選択項目とその設定を示す図である。
【図１０】写真仕上げ雰囲気選択の選択項目とその選択による設定が他の設定から影響を受けていることを示す図である。
【図１１】第２の実施形態における各選択項目とその設定が互いに及ぼす影響の内容を示す図である。
【発明を実施するための形態】
【００１２】
（第１の実施形態）
本実施形態では撮影シーン、被写体状況、仕上がりの３つを選択させることによって、撮影条件や画像処理パラメータが連動して、使用者が望む写真仕上げを実現するものである。
【００１３】
図１は、本実施形態にかかわる撮像装置の一例としてのデジタルカメラのブロック図である。図１において、被写体１０１に対して撮影レンズ１０３とシャッター１０５を通じて被写体像１０２、１０４、１０６を撮像素子１０７に結像させて撮影する。
【００１４】
ここで、被写体の明るさに応じて、撮影レンズの絞り値ＡＶ（Ａｐｅｒｔｕｒｅ  Ｖａｌｕｅ）、シャッター速度ＴＶ（Ｔｉｍｅ  Ｖａｌｕｅ）、撮像素子のＩＳＯ感度を調整して、最適な明るさの画像信号を撮像素子１０７で得られるように撮像制御を行う。
【００１５】
また以下では、この撮像素子１０７は、Ｒ（赤）、Ｇ（緑）、Ｂ（青）の光の波長域に感度を持つ３種類の画素から構成されるものとして説明をする。
【００１６】
このＡＶ、ＴＶ、ＩＳＯ感度の組み合わせは、被写体の明るさを測光するセンサーの出力に応じて決定した露出値を用いる自動露出ＡＥ（Ａｕｔｏ  Ｅｘｐｏｓｕｒｅ）撮影が広く知られている。
【００１７】
撮像素子１０７からの画像信号をＡ／Ｄ変換部１０８においてＲＧＢのデジタル信号化する。
【００１８】
デジタル化されたＲＧＢの画像信号は、ＷＢ部（ホワイトバランス処理部）１０９において、ＲＧＢ各信号にゲインを掛けて、ホワイトバランス処理される。
【００１９】
ホワイトバランス処理されたＲＧＢの画像データは、信号変換部１１０において輝度信号Ｙ（１１１）と色信号ｕｖ（１１５）に変換される。
【００２０】
輝度信号Ｙはコントラスト処理部１１２、シャープネス処理部１１３の現像処理が施され、色信号ｕｖは色処理部１１４で彩度や色相が調整されて、使用者が鑑賞できる好ましい画質の画像データを得て、画像出力部１１６より出力される。出力された画像データは圧縮などの処理を経て不図示の記録媒体に記録される。
【００２１】
このホワイトバランス処理部１０９によって、被写体を照射する様々な光源の色温度に対応して白点を設定し、それ以降の一連の画像処理を行うブロック１１２〜１１４で用いられるパラメータを変更する。これによって、画像の見え、すなわち、くっきりした画像とか色の濃い画像などの画質を調整することができる。
【００２２】
ここで、本実施形態の特徴である、画像出力部１１６から出力される画像の最終画質の決定方法、すなわち撮影した写真の仕上がりの雰囲気を決める方法を、図３のフローチャートを用いながら説明する。
【００２３】
まず、使用者が、「被写体は何か」（撮影被写体選択部１１８）、「被写体はどのような光源下の状況にあるか」（被写体光源状況選択部１１９）、「写真をどのような雰囲気で仕上げるか」（写真仕上げ雰囲気選択部１２０）を決める。そのためのそれぞれ  図９、図１０（ａ）  に示されるような選択肢を準備する。ユーザーはユーザーインターフェースを通じて使用者入力手段１１７より用意された選択しから望む設定に準じた項目を選択して入力する。
【００２４】
まず、撮影被写体選択部１１８で選択される項目は、図９（ａ）に示されるような被写体の種類を表し、これらの項目をユーザーインターフェースに表示して、使用者は最適な項目を選択する（Ｓ３０２）。
【００２５】
この選択結果に応じて、撮影時カメラ設定部１２１は、絞り値ＡＶを決める信号１３３、シャッター速度ＴＶを決める信号１３４、ＩＳＯ感度を決める信号１３５を、被写体の露出決定手段１３６からの露出値１３７によって出力する（Ｓ３０３）。
【００２６】
例えば、図９（ａ）の２番目の「自然の風景」が選択されたら、被写界深度を深めにしたパンフォーカス撮影ができるように、他の被写体の場合と比べてＡＶ値を大きめに取る露出テーブルを使用する。また、５番目の「スポーツ（少人数）」が選択されたら、１対１の格闘技や水泳の一人の泳者を撮影することなどが想定されるため、他の被写体の場合と比べてＩＳＯ感度を高めでＴＶを速い速度にして素早い動きに対応できる撮影を可能とする。
【００２７】
他のモードもそれぞれの撮影被写体に適したＡＶ、ＴＶ、ＩＳＯの組み合わせが実現されるような露出テーブルを準備して、露出値１３７に応じて設定されるようにする。
【００２８】
次に、１１８で選択された撮影被写体にふさわしい画像処理パラメータを画像処理パラメータ設定部１２３において設定する（Ｓ３０４）。
【００２９】
コントラスト処理部１１２、シャープネス処理部１１３、色補正処理部１１４では、設定された画像処理パラメータを用いてそれぞれ図５、図６、図７の特性を持たせた処理が行われる。図５（ａ）〜（ｃ）は、横軸に入力されるＥＶ値（対数軸）、縦軸に８ｂｉｔ出力をとる、いわゆるガンマ特性を示したものであり、ここで示したガンマ曲線がコントラスト処理部１１２にて、画像データの輝度信号Ｙ（１１１）にかけられる。図６は、横軸に画像の境界部分の座標、縦軸に画像レベルをとる、輪郭強調特性を示したものであり、この輪郭強調特性がシャープネス処理部１１３にて、コントラスト処理部１１２からの信号を入力としてかけられる。図７は、ｕｖ平面上に、色補正処理部１１４にてかけられる色変換の様子を示したものである。
【００３０】
コントラスト処理部１１２では、図５（ａ）のように、輝度信号Ｙ（１１１）の入力（対数表示軸）に対して、０〜２５５の８ｂｉｔ出力の特性をガンマ特性を与えた５０１〜５０５で表される。ここで、５０３を標準的なコントラスト特性とすると、５０３よりもコントラストが弱い特性として５０２を、さらに弱い特性として５０１を準備する。逆に５０３よりもコントラストが強い特性５０４を、さらに強い特性として５０５を準備する。いずれも露出の中間グレーレベルを１１０として与えている。
【００３１】
シャープネス処理部１１３では、図６のように、コントラスト処理後の信号を入力として、例えば、６１０のような黒白画像の境界に対して、６１１のような輪郭強調特性を与えるように、６０１〜６０５の特性を準備する。このとき、標準的な輪郭強調特性を６０３とする。６０３より弱い輪郭強調を６０２、さらに弱い輪郭強調を６０１とする。６０３より強い輪郭強調を６０４、さらに強い輪郭強調を６０５とする。
【００３２】
色補正処理部１１４では、１１０においてＲＧＢからｕｖ信号に変換された色信号について、
【００３３】
【数１】
0005737880.tif 000002
【００３４】
【数２】
0005737880.tif 000003
【００３５】
の２つの式で補正処理が行なわれる。図７のＭａｇｅｎｄａ色のところで示されるように、（式１）では、ａ，ｂ，ｃ，ｄのパラメータを変化させることで、ｕｖ座標上で主に同心円上に近い回転方向に写像して色相を変換する式である。（式２）では、ｍ、ｎのパラメータを変化させることで、ｕｖ座標上で主に放射状にゲインが掛けられることによって彩度を調整する式である。Ｍａｇｅｎｄａ以外の他の色でも同様である。
【００３６】
本実施形態では、主に彩度方向、すなわち色の濃さを変化させる（式２）について述べる。図７のＲｅｄ色のところで示したように、（式２）のパラメータｍ、ｎを変更して、色の濃さを変化させた５種類の特性７０１〜７０５を準備する。ｍ、ｎは全ての色に対して掛けられるので、ここで示したＲｅｄ色以外の色も全て５種類の彩度の色の特性を持つことになる。７０３の彩度になる（ｍ、ｎ）を標準的な色再現とすると、それよりも彩度の低い（ｍ、ｎ）の組み合わせのときの色を７０２、さらに彩度の低いものを７０１とする。逆に７０３よりも彩度の高い（ｍ、ｎ）の組み合わせを７０４、さらに彩度の高いものを７０５として準備する。
【００３７】
ここで、各パラメータは１１８の撮影被写体選択結果によって、画像処理パラメータ設定部１２３において、図８（ａ）のようなマッピングになるように画像処理パラメータを決定する。図８は、被写体選択の各選択項目によって、画像処理がどのようにかけられるかを横軸にコントラスト／シャープネスの処理の強さ、縦軸に色の濃さをとって模式的に示したものである。決定されたパラメータはコントラスト処理部１１２、シャープネス処理部１１３、色補正処理部１１４に設定される。
【００３８】
例えば、「都会の風景」が設定されたときの対応について述べる。図８（ａ）のマッピングでは、標準よりも強いコントラストとシャープネスで硬い仕上がりを設定し、色の濃さは標準設定よりもやや濃い仕上がりを狙うことで都会の風景を表現するものである。
【００３９】
これを実現するために、コントラスト／シャープネスは「標準設定」より２段階強めになるように、コントラスト処理部１１２は図５（ａ）における５０５の設定、シャープネス処理部１１３は図６における６０５の設定にする。また、色の彩度は「標準設定」より１段階彩度高めになるように、色補正処理部１１４のゲインを図７の７０５になるように設定する。
【００４０】
他のモードが選択されたときも同様にして、図８（ａ）のマッピングによって、コントラスト処理部１１２、シャープネス処理部１１３、色補正処理部１１４の各画像処理パラメータを撮影時カメラ設定部１２３において設定する。
【００４１】
次に、被写体光源状況選択部１１９で選択される項目は、図９（ｂ）に示されるような被写体を照射している光源の種類を表し、これらの項目をユーザーインターフェースに表示して、使用者は最適な光源を選択する（Ｓ３０５）。
【００４２】
図９（ｂ）では、「忠実に白点再現」を狙うホワイトバランスか、「印象色の効果」を狙うホワイトバランスかを選択した上で、最適な光源の選択をする。
【００４３】
例えば、「朝夕日」を選択した際、朝日や夕日に照射された物体は、人間には赤味を帯びて見える。しかし、写真表現として白い物体を白く表現したい場合は「忠実に白点再現」を選択して、２５００Ｋに対応するホワイトバランス係数を１２２において決定し、ホワイトバランス処理１０９で処理する。
【００４４】
逆に「朝夕日」選択時に、人間の見たように白い物体でも赤味を帯びた写真表現をしたい場合は、「印象色の効果」を選択して、５０００Ｋに対応するホワイトバランス係数を１２２において決定し、ホワイトバランス処理部１０９で処理する（Ｓ３０６）。
【００４５】
このように、ここで述べる「印象色の効果」とは、人間の見た感覚にできるだけ沿った色再現を実現するホワイトバランス制御のことを述べている。夕日の他には、「タングステン電球」では、視覚に近い赤味を残すために、電球の色温度に対応した３０００Ｋよりも赤味の補正が足りない５０００Ｋに対応したホワイトバランス制御をする。また、「晴天の日陰」では、視覚に近い青味を残すために、晴天時の日陰の色温度７０００Ｋよりも青味の補正が足りない５５００Ｋに対応したホワイトバランス制御をする。
【００４６】
次に、写真仕上げ雰囲気選択部１２０で選択される項目は、図１０（ａ）（ｂ）（ｃ）に示される「仕上がりの雰囲気（使用者の選択肢）」の項目が例として挙げられる。これらの項目をユーザーインターフェースに表示して、使用者は希望する写真の仕上がり具合を選択して入力する（Ｓ３０７）。
【００４７】
この写真仕上げ雰囲気選択部１２０から出力される選択結果によって、まずは撮影時カメラ設定部１２１において、既に設定されているＡＶ、ＴＶ、ＩＳＯ感度が写真の仕上がりに適した設定になっているかを判定する（Ｓ３０８）。
【００４８】
ここでの判定条件は、あらかじめＳ３０３で設定されている撮影条件が、図１０（ａ）での選択した項目に対応する右段の条件から外れている場合は、ＡＥ結果を維持しつつ、その条件に入るように設定を変更する（Ｓ３０９）。
【００４９】
例えば、「くっきり鮮やかに」が選択されたとき、Ｓ３０３では既に「ＡＶ：Ｆ５．６、ＴＶ：１／１２５ｓｅｃ、ＩＳＯ感度：２００」と設定されていたならば、「ＡＶ：８、ＴＶ：１／６０ｓｅｃ、ＩＳＯ感度：２００」に変更する。ここで表に示された変更条件である『ＡＶ：Ｆ８以上に』というのは、「くっきり鮮やかに」の効果をより引き出すために、絞りをＦ８以上の深い被写界深度に設定されることを狙ったものである。
【００５０】
また、「ほの暗くひっそりと」が選択されたとき、Ｓ３０３で設定されている露出値に対して、１ＥＶ暗く撮影できる露出値になるように、ＡＶ、ＴＶ、ＩＳＯ感度の組み合わせのプログラムをシフトさせるように変更する。これは、「ほの暗くひっそりと」の効果を引き出すために、画面全体を暗めに撮影することを狙ったものである。
【００５１】
また、「荒れた感じで」が選択されたとき、Ｓ３０３では既に「ＡＶ：Ｆ２．８、ＴＶ：１／１２５ｓｅｃ、ＩＳＯ感度：２００」と設定されていたならば、「ＡＶ：Ｆ５．６、ＴＶ：１／２５０ｓｅｃ、ＩＳＯ感度：１６００」に変更する。ここで表に示された変更条件である『ＩＳＯ感度：１６００以上に』というのは、「荒れた感じで」の効果を引き出すために、ランダムノイズが写真の仕上がりで視認しやすいレベルまで感度を上げることを狙ったものである。
【００５２】
また、「明るめに」が選択されたとき、Ｓ３０３で決められた露出値に対して、＋１ＥＶ明るく撮影できる設定に露出プログラムをシフトさせる。これにより、撮影結果を明るめに仕上げることもできる。また、画像処理のコントラスト処理部１１２に対して、図５（ｂ）の５０７で示されるようなトーンカーブ特性を与えることによっても、写真仕上がり雰囲気を明るめにすることができる。
【００５３】
このことは、「暗めに」という写真仕上げ雰囲気を選択しても同様である。Ｓ３０３で決められた露出値に対して、−１ＥＶ暗く撮影できる設定に露出プログラムをシフトさせる。これにより、撮影結果を暗めに仕上げることもできる。また、画像処理のコントラスト処理部１１２に対して、図５（ｂ）の５０６で示されるようなトーンカーブ特性を与えることによっても、写真仕上がり雰囲気を暗めにすることができる。
【００５４】
このように、「明るめ」「暗め」は露出値とコントラストの両方あるいはどちらか一方のいずれで処理してもかまわない。
【００５５】
その他の写真仕上げ雰囲気選択結果でも同じように図１０（ａ）で指示された変更内容に基づいて、これらのＡＶ、ＴＶ、ＩＳＯ感度の変更を行なう。
【００５６】
次に、写真仕上げ雰囲気選択結果に応じて、ホワイトバランス処理での係数を変更するかどうかを判定する（Ｓ３１０）。
【００５７】
ここでの判定条件は、あらかじめＳ３０６で設定されているホワイトバランス係数が、図１０（ｂ）での選択した項目に対応する右段の変更指示にしたがって、ホワイトバランス処理で対応する色温度をシフトさせる（Ｓ３１１）。
【００５８】
例えば、「暖かくやさしく」が選択されたとき、Ｓ３０６で既に「５０００Ｋ」と設定されていたならば、ホワイトバランス処理は「５５００Ｋ」に対応するホワイトバランス係数にして処理するようにシフトしてＷＢ制御値設定１２２で設定されるように変更する。これは、「暖かくやさしく」を表現するために、対応する色温度を高色温度側にシフトすることによって、画面全体がより赤味を強く帯びて暖かく見えるように狙ったものである。
【００５９】
また、「ほの暗くひっそりと」が選択されたとき、Ｓ３０６で既に「６５００Ｋ」と設定されていたら、ホワイトバランス処理は「６０００Ｋ」に対応するホワイトバランス係数にして処理するようにシフトしてＷＢ制御値設定部１２２で設定されるように変更する。これは、「ほの暗くひっそりと」を表現するために、対応する色温度を低色温度がわにシフトすることによって、画面全体がより青味を強く帯びて日陰の雰囲気を醸し出すことを狙ったものである。
【００６０】
その他の写真仕上げ雰囲気選択結果でも同じように図１０（ｂ）で指示された変更内容に基づいて、ホワイトバランス係数の変更を行なう。
【００６１】
最後に、写真仕上げ雰囲気選択結果に応じて、コントラスト、シャープネス、色処理の画像処理に関するパラメータを変更するかどうかを判定する（Ｓ３１２）。
【００６２】
ここでの判定条件は、あらかじめＳ３０４で設定されている画像処理パラメータに対して、図１０（ｃ）での選択した項目に対応する右段の変更指示に従って、各画像処理パラメータを変更する（Ｓ３１３）。
【００６３】
例えば、撮影被写体が「自然の風景」で選択されていた場合を述べる。この「自然の風景」はＳ３０４で図８（ａ）の中での「自然の風景」で示される画像仕上げのポジションにマッピングされている。このとき写真仕上げ雰囲気選択が「くっきり鮮やかに」が選択された場合、図１０（ｃ）の変更指示「コントラスト／シャープネス：強い方向、色：濃い方向」に従い３つの各パラメータを変更する。すなわち、元々設定されていたコントラスト：図５（ａ）の５０４、シャープネス：図６の６０４、色：図７の７０４を、それぞれコントラスト：図５（ａ）の５０５、シャープネス：図６の６０５、色：図７の７０５にシフトする。その結果、「くっきり鮮やかに」の効果が反映された「自然の風景」の写真の仕上がりは、図８（ｂ）に示すように右上にポジションをシフトする結果になる。
【００６４】
同じように、「自然の風景」に対して「暖かくやさしく」が選択された場合は、図１０（ｃ）の変更指示「コントラスト／シャープネス：弱い方向、色：濃い方向」によって、図８（ｂ）で示されるように左上にポジションをシフトした写真仕上がりになる。また、「ふんわりやわらかく」が選択された場合は、図１０（ｃ）の変更指示「コントラスト／シャープネス：弱い方向、色：薄い方向」によって、図８（ｂ）で示されるように左下にポジションをシフトした写真仕上がりになる。
【００６５】
また、撮影被写体が「人物（少人数）」で選択されていた場合についても、図８（ｃ）で表されるようなポジションにシフトされる。他の撮影被写体であっても、他の写真仕上げ雰囲気選択であっても、同じような操作が行なわれる。
【００６６】
以上のようにして、最終的な撮影条件であるＡＶ、ＴＶ、ＩＳＯ感度、ホワイトバランス係数、画像処理パラメータが決定される。そして、ＡＶ、ＴＶ、ＩＳＯ感度は撮影時カメラ設定部１２１から撮影レンズ１０３、シャッター１０５、撮像素子１０７に設定される。ホワイトバランス係数は、ＷＢ制御値設定部１２２よりＷＢ処理部１０９に設定される。画像処理パラメータは、画象処理パラメータ設定部１２３よりコントラスト処理部１１２、シャープネス処理部１１３、色補正処理部１１４にそれぞれ設定される（Ｓ３１４）。これらのパラメータを用いて、撮影した画像データは現像処理されて、画像出力１１６より出力される。
【００６７】
以上の説明、特に図８では、各撮影被写体選択１１８や写真仕上げ雰囲気選択１２０によってシフトされる画象処理パラメータの効果がほぼ均等に振られるように設定された場合で述べた。例えば、図５（ａ）で表されるコントラスト特性は、中間グレーレベルを８ビット出力で１１０と定義し、そこを中心に明暗差が均等に振られてコントラストの強さが−２〜＋２の５段階で設定されている。また、色の濃さについても、図７（ａ）の赤色を例に示した７０３の±０を中心に−２〜＋２の５段階で均等に彩度方向のゲインを割り振って、色の濃さの効果を振っている。
【００６８】
ここで、さらに画像処理パラメータのシフトの方法を、図１（ｂ）の画像処理の構成として、次に説明するように画像処理パラメータを設定することで、より使用者の意図を反映し易い画作りを提供することができる。ここでは例えば、撮影被写体を「自然の風景」と設定したときの画像処理パラメータについて対比して述べる。
【００６９】
まず、コントラスト処理において前記実施例との違いを説明する。図５（ａ）の５０３における標準設定を転記した図５（ｃ）における５０３では、前記実施例では自然の風景に対して図５（ａ）５０４を与えている。５０４は、出力１１０（８ビット）で設定された中間グレーレベルを境に、高輝度側をより高いレベルに、低輝度側をより低いレベルで出力するように設定するより強いコントラスト特性を示す。
【００７０】
それに対して、より自然の風景を綺麗に見せるための特性として、図５（ｃ）における５０８のような特性を「自然の風景」用に準備する。５０８は、中間グレーレベルより低い明るさではより低いレベルで出力し（８０ＬＳＢ以下）、中間グレーレベル付近では、標準設定５０３よりも明るく出力して低輝度（８０ＬＳＢ）〜中間輝度（２００ＬＳＢ）でコントラストを強くしている。そして、高輝度の階調を残すように２００ＬＳＢ以上の出力で、再び標準設定よりも低いレベルで出力するように設定する。
【００７１】
このように、より「自然の風景」を特徴づけるコントラストのパラメータを準備して、この特性を「自然の風景」のコントラストの中心設定とする。このパラメータは、図５（ｄ）に示されるように、「標準設定」時のコントラスト設定をゲイン１倍として５１０の特性とすると、「自然の風景」の画像を特徴づける特性である「標準設定」時のコントラスト設定との差分は、５０９のように定義される。この「標準設定」と「自然の風景」のコントラスト特性の差分を「自然の風景」のコントラストの中心設定として図１（ｂ）におけるコントラスト処理１（１２４）で設定を行う。
【００７２】
次に、この「自然の風景」のコントラストの中心設定に対して、写真仕上げ雰囲気選択１２０の選択結果を反映させるためのコントラスト設定について説明する。
【００７３】
例えば、写真仕上げ雰囲気選択で「くっきり鮮やかに」が選択された場合、その効果を反映させる画像処理パラメータを、図５（ａ）の５０３の「標準設定」コントラスト特性に対して、５０４のより「くっきり」したコントラスト特性を与える。これは前記実施例と同様である。この「標準設定」に対する「くっきり」設定を、図１（ｂ）の第２のコントラスト処理部１２５の２回目のコントラスト処理で行う。
【００７４】
この処理によって、第１のコントラスト処理部１２４で「自然の風景」の特徴、第２のコントラスト処理部１２５で「標準設定」に対する「くっきり」の特徴が与えられて、使用者が所望するコントラスト特性の画質を得ることができるようになる。
【００７５】
色補正処理についても同様で、撮影被写体選択で「自然の風景」が選択されたとき、「自然の風景」の色の特徴を、図７（ｂ）に示されるように、前記の（式１）と（式２）を用いて、「標準設定」に対してＢｌｕｅ周辺の色の色相方向は（式１）を用いてＣｙａｎ寄りに回転させる。そして、（式２）を用いて彩度方向にゲインをかけ、青空の色をより強調するような設定に変換する（７１２の青色を７１３の特性に変換する）。また、Ｇｒｅｅｎ周辺の色の色相方向は（式１）を用いてＣｙａｎ寄りに回転させる。そして、（式２）を用いて彩度方向にゲインを掛け、深緑に青味を持たせて森林を綺麗に見せるような設定に変換する（７１０の緑色を７１１の特性に変換する）。これらの処理は、図１（ｂ）の第１の色補正処理部１２６で行なう。
【００７６】
そして、写真仕上げ雰囲気選択が「くっきり鮮やかに」が選択された場合、その効果を反映させる画像処理パラメータを、図７（ａ）の７０３に対する７０４のゲインを色域全体に掛けることで「鮮やかに」の特性を表現する。この処理は、図１（ｂ）の第２の色補正処理部１２７で行う。
【００７７】
この処理によって、第１の色補正処理部１２６で「自然の風景」の特徴、第２の色補正処理部１２７で「標準設定」に対する「鮮やかに」の特徴が与えられて、使用者が所望する色特性の画質を得ることができるようになる。
【００７８】
他にも同様に、例えば撮影被写体選択で「自然の風景」、写真仕上げ雰囲気選択で「ふんわりやわらかく」が選択されたときは、第１のコントラスト処理部１２４で５０９の特性、第２のコントラスト処理部１２５で５０２の特性を設定する。さらに、第１の色補正処理部１２６で７１１や７１３の色相特性、第２の色補正処理部１２７で７０３に対する７０２のゲイン特性をそれぞれ設定することで、「自然の風景」を「ふんわりやわらかく」する画質特性を与えることができる。
【００７９】
以上、本実施形態では、撮影シーン、被写体状況、仕上がりの３つを選択させることによって、撮影条件や画像処理パラメータが連動して、使用者が望む写真仕上げとなる画像処理を施す。これにより、使用者がイメージした仕上がりの写真表現を、デジタル画像処理に熟知していなくても、表現の幅を広げてイメージした写真画質を容易に仕上げることを可能にする。
【００８０】
また、本実施形態では、例えば写真仕上げ雰囲気選択での選択結果に応じた設定は、他の選択結果が何であっても同じ特性を付加するようになっている。「ふんわりやわらかく」では、第２のコントラスト処理部１２５には５０２の特性を設定する。しかし、これに限らず、例えば「自然の風景」を選択した場合の「ふんわりやわらかく」の設定と、「都会の風景」を選択した場合の「ふんわりやわらかく」では、コントラスト処理部、色補正処理部にかける特性が異なるようにしてもよい。こうすることで、１つの選択結果が残りの選択結果により有機的に関係することになり、よりイメージに近い写真を仕上げられるようになる。
【００８１】
（第２の実施形態）
本実施形態では、第１の実施形態と同様に撮影シーン、被写体状況、仕上がりの３つを選択させて画像処理パラメータを決定する。ここで、いずれかの選択項目の選択結果に応じて他の選択項目の選択肢を制限することで、使用者が迷わず望む写真仕上げを実現しやすいものに誘導するものである。
【００８２】
図４のＳ４０２、Ｓ４０３は、第１の実施形態の図３のＳ３０２、Ｓ３０３と同様で、撮影被写体選択を図９（ａ）のリストから選択し、図１の使用者入力手段１１７を通じて撮影被写体選択部１１８よりＡＶ、ＴＶ、ＩＳＯ感度が設定される。
【００８３】
次に、被写体光源状況選択を行う前に、撮影被写体選択によって、それを示す信号１３０に応じて、被写体光源状況選択の表示するリストの選別を行なう（Ｓ４０４）。
【００８４】
図１１（ａ）に示されるように、撮影被写体選択結果によって、被写体光源状況選択の項目のうち、通常想定しにくい組み合わせのものをあらかじめ削除して表示する。
【００８５】
例えば、「自然の風景」が撮影被写体として選択されていたら、被写体光源状況選択の項目から、「蛍光灯」「白色ＬＥＤ」「タングステン電球」「水銀灯」「炎」の項目をユーザーインターフェースには表示しないようにする。
【００８６】
このように、「自然の風景」の写真を撮影するときは、人工光源や炎の色温度に合わせたホワイトバランスを設定できないようにして、残った項目から被写体光源状況選択を使用者にさせる（Ｓ４０６）。
【００８７】
設定された被写体光源状況選択の選択結果に応じて、ＷＢ制御値設定部１２２においてホワイトバランス制御値を準備する（Ｓ４０７）。
【００８８】
次に、写真仕上げ雰囲気選択を行う前に、撮影被写体選択によって、それを示す信号１３０に応じて、被写体光源状況選択の項目と同じように、写真仕上げ雰囲気選択の表示するリストの選別を行う（Ｓ４０８）。
【００８９】
図１１（ｂ）に示されるように、撮影被写体選択結果によって、写真仕上げ雰囲気選択の項目のうち、通常想定しにくい組み合わせのものをあらかじめ削除して表示する。
【００９０】
例えば、「スポーツ」が撮影被写体として選択されていたら、写真仕上げ雰囲気選択の項目から、「ふんわりやわらかく」の項目をユーザーインターフェースには表示しないようにする。
【００９１】
このようにして、「スポーツ」の写真を撮影するときは、「ふんわりやわらかく」の雰囲気の写真仕上げにならないようにして、使用者は残った項目から写真仕上げ雰囲気を選択するようにさせる（Ｓ４０９）。
【００９２】
選択された写真仕上げ雰囲気に応じて画象処理パラメータ設定部１２３より各画像処理パラメータがコントラスト処理部１１２、シャープネス処理部１１３、色補正処理部１１４にそれぞれ設定される（Ｓ４１０）。
【００９３】
これらのパラメータを用いて、撮影した画像データは現像処理されて、画像出力部１１６より出力される。
【００９４】
以上では、撮影被写体選択→被写体光源状況選択→写真仕上げ雰囲気選択の順序で選択していく手順を示したが、この３者の選択の順序はどこから始めても構わない。被写体光源状況選択から始めた場合は、それを示す信号１３１によって、撮影被写体選択や写真仕上げ雰囲気選択の各選択項目に制限を設ける。同様に、写真仕上げ雰囲気選択から始めた場合は、それを示す信号１３２によって、撮影被写体選択や被写体光源状況選択の各選択項目に制限を設ける。
【００９５】
以上、本実施形態では、撮影被写体の選択結果に応じて、被写体を照射する光源状況の選択肢と写真仕上がり雰囲気選択の選択肢の項目に制限をつけることで、使用者が迷わず望みの写真仕上げを実現しやすいものに容易に誘導することを可能とする。
【００９６】
ここでは、撮影被写体の選択結果に応じて、光源状況と仕上がり雰囲気の選択肢に制限をつける内容を説明した。しかし、光源状況選択結果によって撮影被写体や仕上がり雰囲気の選択肢に制限をつけてもよいし、仕上がり雰囲気の選択結果によって撮影被写体や光源状況に制限をつけても構わない。
【符号の説明】
【００９７】
１０３  撮影レンズ
１０５  シャッター
１０７  撮像素子
１０８  Ａ／Ｄ変換部
１１８  撮影被写体選択部
１１９  被写体光源状況選択部
１２０  写真仕上げ雰囲気選択部
１２１  撮影時カメラ設定部
１２２  ＷＢ制御値設定部
１２３  画像処理パラメータ設定部
１１２  コントラスト処理部
１１３  シャープネス処理部
１１４  色補正処理部
【図１】
0005737880.tif 000004
【図２】
0005737880.tif 000005
【図３】
0005737880.tif 000006
【図４】
0005737880.tif 000007
【図５】
0005737880.tif 000008
【図６】
0005737880.tif 000009
【図７】
0005737880.tif 000010
【図８】
0005737880.tif 000011
【図９】
0005737880.tif 000012
【図１０】
0005737880.tif 000013
【図１１】
0005737880.tif 000014